(57)【要約】    【課題】  暑さや蒸れの軽減に寄与する、あるいは腕時計の文字盤確認がしやすい作業用手袋を提供すること。    【解決手段】  指を保護する指保護部(1)と、手の平を保護する手の平部(2)と、手の甲を保護する手の甲部(4)とを連続させるとともに、手を挿入する開口部を備えて形成する作業用手袋であり、その開口部を形成する開口端(5)は、挿入する手と腕との境目付近に達するように形成する。あるいは、手の甲部(4)における開口部寄りと開口部における手の甲部(4)寄りとに、開口部を折り返して留めるための着脱ファスナー(7,8)を備える。【選択図】    図１
0003107695.tif 000002
【実用新案登録請求の範囲】
【請求項１】
指を保護する指保護部と、
手の平を保護する手の平部と、
手の甲を保護する手の甲部とを連続させるとともに、手を挿入する開口部を備えて形成する作業用手袋であって、
その開口部を形成する開口端は、挿入する手と腕との境目付近に達するように形成した作業用手袋。
【請求項２】
指を保護する指保護部と、
手の平を保護する手の平部と、
手の甲を保護する手の甲部と、
手首を保護する手首部とを連続させるとともに、手を挿入する開口部を備えて形成する作業用手袋であって、
手の甲部における開口部寄りと開口部における手の甲部寄りとに、開口部を折り返して留めるための着脱ファスナーを備えた作業用手袋。
【請求項３】
指保護部および手の平部の表面に滑り止め機能を備えた請求項１または請求項２のいずれかに記載の作業用手袋。
【請求項４】
指保護部、手の平部および手の甲部を防水性能のある素材にて形成した請求項１または請求項２のいずれかに記載の作業用手袋。
【考案の詳細な説明】
【技術分野】
【０００１】
本考案は、作業用の手袋、革製または合成皮革製の革手袋、いわゆる軍手と呼ばれる手袋、いわゆるゴム手袋と呼ばれる防水性に優れた手袋などに関する。
【背景技術】
【０００２】
軍手は、非常に多くの作業場面にて用いられる。軍手の役割は、指、手の平、手の甲までを、作業に伴う外部環境から保護しつつ、作業性を損なわないように工夫されている。熱さを伴う物を掴んだり、突起物のある物を運んだり、汚れの激しい物から手を保護してしている。
【０００３】
通気性を確保する、熱に強くて熱から手を保護する、といった機能を果たすため、綿や合成繊維などの素材にて提供される。近年では、ガラス片でも切れることがない極めて耐久性のある繊維を素材とする高機能の軍手も提供されている。
また、滑り止めの機能を高めるため、手の平側や指先にゴムやシリコンなどを張り付けて滑り止めとしたような製品も入手できる。たとえば、紙類を扱う作業用手袋や、タクシーなどのドライバー用の手袋、、指先を露出させる指切りグローブ（釣り用、運転用など）などである。
また、水その他の液体などから手を保護するために防水性を備えた製品などもある。
【０００４】
本願に関連する先行技術として、実用新案登録第３０８５４０８号を抽出した。この文献には、以下のような技術が記載されている。すなわち、作業中に汗をかいた場合に、汗をぬぐうための汗拭き布を軍手の甲の部分に着脱自在とした構成をなしている。
【０００５】
【特許文献１】実用新案登録第３０８５４０８号公報
【考案の開示】
【考案が解決しようとする課題】
【０００６】
軍手などの作業用手袋は、通気性が確保された素材で作製されているとはいえ、気温の高い場所での作業や夏期の屋外作業などにおいては、少しでも暑さを軽減したいという要望があった。そのため、作業者は、既存の軍手における手首の保護部分を手の平および手の甲側へまくり上げて使用することが多かった。
【０００７】
防水性を備えた手袋の場合は、外からの液体を遮断できるが、皮膚から蒸発する蒸気も遮断してしまうために、「蒸れ」が生じる。この蒸れによる不快感を軽減したい場合にも、作業者は、その作業用手袋における手首の保護部分を手の平および手の甲側へまくり上げて使用することが多かった。
【０００８】
暑さや蒸れへの対策とは別に、作業者が作業中に時刻を確認したり、時間を計測したりしなければならない場面は多い。時刻確認や時間計測には、腕時計が最も便利である。作業の手を休めることなく時刻確認や時間計測が行えるからである。
しかし、既存の作業用手袋における手首の保護部分は、一般の腕時計を半分くらい、あるいは全て覆い隠してしまうことが多い。そのため、時刻確認や時間計測のためには、作業用手袋における手首保護部分が邪魔になり、腕時計を巻いた反対側の手で時計の文字盤を隠す部位をめくり上げるか、手の平および手の甲側へまくり上げて使用使用されることが多い。
【０００９】
そこで、本考案が解決しようとする課題は、暑さや蒸れの軽減に寄与する、あるいは腕時計の文字盤確認がしやすい作業用手袋を提供することにある。
ここで、請求項１から請求項３に記載の考案の目的は、暑さや蒸れの軽減に寄与する、あるいは腕時計の文字盤確認がしやすい作業用手袋（いわゆる軍手など）を提供することにある。
また、請求項１、請求項２および請求項４に記載の考案の目的は、暑さや蒸れの軽減に寄与する、あるいは腕時計の文字盤確認がしやすい作業用手袋（いわゆるゴム手袋など）を提供することにある。
【課題を解決するための手段】
【００１０】
（請求項１）
請求項１記載の考案は、  指を保護する指保護部(1)と、手の平を保護する手の平部(2)と、手の甲を保護する手の甲部(4)とを連続させるとともに、手を挿入する開口部を備えて形成する作業用手袋に係り、
その開口部を形成する開口端(5)は、挿入する手と腕との境目付近に達するように形成した作業用手袋である。
【００１１】
（用語説明）
本考案の作業用手袋には、いわゆる軍手の類、革製または合成皮革製の革手袋が含まれる。
指保護部(1)、手の平部(2)および手の甲部(4)については、一般の作業用手袋と同様の構造をなしており、作業目的に応じた材質、機能を備えている。
本考案に係る作業用手袋の開口端(5)は、一般の作業用手袋における開口端よりも指保護部側に寄っており、同じサイズの手袋であれば全長が短い。
【００１２】
（作用）
作業者が、本考案に係る作業用手袋の開口部の開口端(5)から手を入れる。すると、指は指保護部(1)に達し、手の平には手の平部(2)が、手の甲には手の甲部(4)が位置する。また、手首付近に開口端(5)が位置することとなる。
したがって、作業者の暑さや蒸れの軽減に寄与する。また、作業者にとって、腕時計の文字盤確認がしやすい。
【００１３】
（請求項２）
請求項２記載の考案は、  指を保護する指保護部(1)と、手の平を保護する手の平部(2)と、手の甲を保護する手の甲部(4)と、手首を保護する手首部(9)とを連続させるとともに、手を挿入する開口部を備えて形成する作業用手袋に係り、
手の甲部(4)における開口部寄りと開口部における手の甲部(4)寄りとに、開口部を折り返して留めるための着脱ファスナー(7,8)を備えた作業用手袋である。
【００１４】
（用語説明）
指保護部(1)、手の平部(2)、手の甲部(4)および手首部(9)については、一般の作業用手袋と同様の構造をなしており、作業目的に応じた材質、機能を備えている。
「着脱ファスナー(7,8)」とは、いわゆる着脱自在の布テープ（ワンタッチファスナー、商標名「マジックテープ」）、スナップピン、縫いつけられたボタンとそのボタンの大きさに対応したボタン孔の組合せなどをも含むものとする。
【００１５】
（作用）
作業者が、本考案に係る作業用手袋の開口部の開口端(5)から手を入れる。すると、指は指保護部(1)に達し、手の平には手の平部(2)が、手の甲には手の甲部(4)が位置する。また、手首付近には手首部(9)が位置することとなる。
作業者が必要に応じて、開口端(5)を押し広げて手首部(9)を折り返し、着脱ファスナー(7,8)によって折り返した状態を固定することができる。それによって、作業者の暑さや蒸れの軽減に寄与する。また、作業者にとって、腕時計の文字盤確認がしやすい。
【００１６】
（請求項３）
請求項３記載の考案は、請求項１または請求項２のいずれかに記載の作業用手袋を限定したものである。
すなわち、指保護部(1)および手の平部(2)の表面に滑り止め機能(3)を備えた作業用手袋である。
【００１７】
（用語説明）
滑り止め機能(3)は、指保護部(1)においては、手の平(2)側にのみ設けるものが多いが、爪部分にまで備えるものもある。合成ゴムやシリコンなどで形成されている。
滑り止め機能(3)を全表面に設けることによって防水機能をも併せ持つものもあるし、斑点状に小さな滑り止めを多数設けることによって、通気性に乏しい滑り止め機能(3)を設けるものの指保護部(1)および手の平部(2)における通気性を確保するといった手袋も多い。
【００１８】
（請求項４）
請求項４記載の考案は、請求項１または請求項２のいずれかに記載の作業用手袋を限定したものである。
すなわち、指保護部(1)、手の平部(2)および手の甲部(4)を防水性能のある素材にて形成した作業用手袋である。
【００１９】
（用語説明）
本請求項に記載の考案は、いわゆる「ゴム手袋」およびそれに類する機能の作業用手袋に係る。
「防水性のある素材」とは、たとえば合成ゴム、樹脂、シリコン（医療用などに用いる）などである。
【考案の効果】
【００２０】
請求項１から請求項４に記載の考案によれば、暑さや蒸れの軽減に寄与する、あるいは腕時計の文字盤確認がしやすい作業用手袋（いわゆる軍手やいわゆるゴム手袋）を提供することができた。
【考案を実施するための最良の形態】
【００２１】
以下、本考案を実施の形態及び図面に基づいて、更に詳しく説明する。ここで使用する図面は、図１および図２であり、それぞれ第一または第二の実施形態を示したものである。
【００２２】
（図１）
図１は、いわゆる「滑り止め付き軍手」と呼ばれる作業用手袋に、本考案（特に請求項１記載の考案）を実現した第一の実施形態である。図１(A)は手の平側を、図１(B)は手の甲側を、それぞれ示している。
この実施形態に係る作業用手袋は、指を保護する指保護部(1)と、手の平を保護する手の平部(2)と、手の甲を保護する手の甲部(4)とを連続させるとともに、手を挿入する開口部を備える。そして、その開口部を形成する開口端(5)は、挿入する手と腕との境目付近に達するように形成した作業用手袋である。
全体を綿などの通気性、吸湿性に優れた素材にて形成するとともに、指保護部(1)および手の平部(2)の表面には、滑り止め機能(3)を備えている。この滑り止め機能(3)は、斑点状に多数設けることによって、指保護部(1)および手の平部(2)における通気性を確保している。
【００２３】
この作業用手袋の開口端(5)は、従来の作業用手袋における手首部(9)に相当する部位が存在せず、開口端よりも指保護部(1)側に寄っており、同じサイズの手袋であれば全長が短い。
作業者が、この作業用手袋の開口部の開口端(5)から手を入れると、指は指保護部(1)に達し、手の平には手の平部(2)が、手の甲には手の甲部(4)が位置する。また、手首付近に開口端(5)が位置することとなる。
したがって、作業者の暑さや蒸れの軽減に寄与する。また、図１(B)に示すように、作業者にとって腕時計(10)の文字盤確認がしやすい。
【００２４】
（図２）
図２もまた、いわゆる「滑り止め付き軍手」と呼ばれる作業用手袋であり、本考案（特に請求項２記載の考案）を実現した第二の実施形態である。
この実施形態に係る作業用手袋は、滑り止め機能(3)が、第一の実施形態と異なり、指保護部(1)および手の平部(2)の全体を覆っている。また、従来の作業用手袋と同様に手首部(9)が存在し、同じサイズの手袋であれば同じ寸法である。
【００２５】
この実施形態の特徴点は、手の甲部(4)における開口部寄りと開口部における手の甲部(4)寄りとに、開口部を折り返して留めるための着脱ファスナー(7,8)を備えるとともに、その着脱ファスナー(7,8)を留めやすいように手首部(9)と手の甲部(4)との境目に折り返し線(6)を備えている点である。
この着脱ファスナー(7,8)は、本実施形態ではスナップピンを採用したが、いわゆる着脱自在の布テープや、縫いつけられたボタンとそのボタンの大きさに対応したボタン孔の組合せなども採用することができる。
【００２６】
作業者が、本考案に係る作業用手袋の開口部の開口端(5)から手を入れる。すると、指は指保護部(1)に達し、手の平には手の平部(2)が、手の甲には手の甲部(4)が位置する。また、手首付近には手首部(9)が位置することとなる。
作業者が必要に応じて、開口端(5)を押し広げて手首部(9)を折り返し、着脱ファスナー(7,8)によって折り返した状態を固定することができる。それによって、作業者の暑さや蒸れの軽減に寄与する。また、腕時計をしていた場合には、その文字盤確認がしやすい。
本実施形態の利点は、必要に応じて着脱ファスナー(7,8)を外すことにより手首部(9)を保護することもできる点である。
【図面の簡単な説明】
【００２７】
【図１】第一の実施形態を示す図である。
【図２】第二の実施形態を示す図である。
【符号の説明】
【００２８】
１：指保護部            ２：手の平部
３：滑り止め機能部      ４：手の甲部
５：開口端              ６：折り返し部
７：スナップ凹部        ８：スナップ凸部
９：手首部            １０：腕時計
【図１】
0003107695.tif 000003
【図２】
0003107695.tif 000004